(57)【要約】【課題】幼児をより楽しませることができる食品型玩具を提供する。【解決手段】食品型玩具１は、食品の形状を模した本体部２と、本体部２に設けられ、息が吹きかけられることにより作動するセンサ５と、センサ５の作動に応じて音を出力する音出力部６と、を備える。食品型玩具１では、幼児が息を吹きかけることによりセンサ５が作動し、音が出力される。このように、手で直接触れることなく息を吹きかけることより音が出力されるので、例えば、単にボタンを押すことにより音が出力されるといった場合に比べて、幼児の興味を引き易く、幼児をより楽しませることができる。【選択図】図１
2017192413.tif 000002
【特許請求の範囲】
【請求項１】
食品の形状を模した本体部と、
前記本体部に設けられ、息が吹きかけられることにより作動するセンサと、
前記センサの作動に応じて音を出力する音出力部と、を備える、食品型玩具。
【請求項２】
前記本体部に立設され、ろうそくの形状を模したろうそく部を更に備え、
前記本体部がケーキの形状を模し、
前記センサは、前記本体部において、前記ろうそく部に息が吹きかけられることに伴って息が吹きかけられる位置に設けられている、請求項１に記載の食品型玩具。
【請求項３】
前記ろうそく部は、前記本体部に脱着可能に設けられ、
前記ろうそく部が前記本体部に取り付けられると、前記センサと前記音出力部とが電気的に接続される、請求項２に記載の食品型玩具。
【請求項４】
前記センサは、息が吹きかけられたことを検出する検出面を有し、
前記検出面は、斜め上を向いて設けられている、請求項２又は３に記載の食品型玩具。
【請求項５】
前記センサは、前記本体部の内部に配置されており、
前記本体部には、前記センサに通じる貫通孔が斜め上を向いて設けられている、請求項１〜４のいずれか一項に記載の食品型玩具。
【請求項６】
前記センサ及び前記音出力部に電力を供給する電源のオンオフを切り換えるメインスイッチを更に備える、請求項１〜５のいずれか一項に記載の食品型玩具。
【発明の詳細な説明】
【技術分野】
【０００１】
本発明は、食品型玩具に関する。
【背景技術】
【０００２】
幼児の玩具として、食品の形状を模した食品型玩具がある。例えば、特許文献１及び非特許文献１には、幼児の興味を引くように、幼児が好むケーキの形状を模すと共に、幼児が切り分けて遊ぶことができるように、分割された複数のピースを互いに脱着可能に形成した食品型玩具が開示されている。このような食品型玩具によれば、遊びを通じて、幼児の食への関心を引き出しながら、幼児の知能発達を促すことができる。
【先行技術文献】
【特許文献】
【０００３】
【特許文献１】特開２０１０−１６７２５６号公報
【非特許文献】
【０００４】
【非特許文献１】“パーティークイーンシリーズきってね！Ｎｏ．１１２５  ショートケーキ”、［online］、ローヤル株式会社、［平成２８年２月２２日検索］、インターネット〈URL：http://www.toyroyal.co.jp/products/kittene/index02.html〉
【発明の概要】
【発明が解決しようとする課題】
【０００５】
上述の食品型玩具として、幼児の知能発達を十分に促すために、幼児の興味が短時間で薄れることのないよう、幼児をより楽しませることのできるものが要求されている。
【０００６】
そこで、本発明は、幼児をより楽しませることができる食品型玩具を提供することを課題とする。
【課題を解決するための手段】
【０００７】
上記課題を解決するため、本発明に係る食品型玩具は、食品の形状を模した本体部と、本体部に設けられ、息が吹きかけられることにより作動するセンサと、センサの作動に応じて音を出力する音出力部と、を備える。
【０００８】
この食品型玩具では、例えば幼児が息を吹きかけることによりセンサが作動し、音が出力される。このように、手で直接触れることなく息を吹きかけることより音が出力されるので、例えば、単にボタンを押すことにより音が出力されるといった場合に比べて、幼児の興味を引き易く、幼児をより楽しませることができる。
【０００９】
本発明に係る食品型玩具は、本体部に立設され、ろうそくの形状を模したろうそく部を更に備え、本体部がケーキの形状を模し、センサは、本体部において、ろうそく部に息が吹きかけられることに伴って息が吹きかけられる位置に設けられていてもよい。この場合、本体部は一般に幼児が好むケーキの形状を模している。また、本体部にはろうそく部が立設され、ろうそく部に息が吹きかけられることに伴ってセンサには息が吹きかけられるようになっている。一般に幼児はケーキに立設されたろうそくの火を吹き消す動作を好む。このため、幼児が火を吹き消そうとろうそく部に息を吹きかけることを利用して音を出力させ、幼児をより一層楽しませることができる。
【００１０】
本発明に係る食品型玩具において、ろうそく部は、本体部に脱着可能に設けられ、ろうそく部が本体部に取り付けられると、センサと音出力部とが電気的に接続されてもよい。この場合、ろうそく部が本体部に取り付けられていないときは、幼児が息を吹きかけてもセンサが作動しない。このため、センサではなくろうそく部に息を吹きかけることにより音が出力されると幼児に思わせることができる。
【００１１】
また、本発明に係る食品型玩具では、センサは、息が吹きかけられたことを検出する検出面を有し、検出面は、斜め上を向いて設けられていてもよい。この場合、幼児がろうそく部に息を吹きかけることに伴って検出面にも息が吹きかけられ易い。これにより、息が吹きかけられたことを検出面が検出し易い。
【００１２】
また、本発明に係る食品型玩具では、センサは、本体部の内部に配置されており、本体部には、センサに通じる貫通孔が斜め上を向いて設けられていてもよい。この場合、幼児がろうそく部に息を吹きかけることに伴って、貫通孔を通じてセンサにも息が吹きかけられ易い。これにより、息が吹きかけられたことをセンサが検出し易い。
【００１３】
また、本発明に係る食品型玩具は、センサ及び音出力部に電力を供給する電源のオンオフを切り換えるメインスイッチを更に備えてもよい。この場合、使用されていない期間の消費電力を抑制することができる。
【発明の効果】
【００１４】
本発明によれば、幼児をより楽しませることができる。
【図面の簡単な説明】
【００１５】
【図１】実施形態に係る食品型玩具を示すブロック図である。
【図２】（ａ）は、図１の食品型玩具を斜め上から見た斜視図であり、（ｂ）は、図１の食品型玩具を斜め下から見た斜視図である。
【図３】図２（ａ）のIII−III線に沿っての断面図であって、サブスイッチの非作動状態を示す図である。
【図４】サブスイッチの作動状態を示す断面図である。
【図５】図１の食品型玩具の動作を示すフローチャートである。
【発明を実施するための形態】
【００１６】
以下、添付図面を参照して、本発明の好適な実施形態について詳細に説明する。なお、以下の説明において、同一又は相当要素には同一符号を付し、重複する説明を省略する。
【００１７】
図１は、実施形態に係る食品型玩具を示すブロック図である。図１に示されるように、食品型玩具１は、本体部２と、メインスイッチ３と、サブスイッチ４と、センサ５と、音出力部６と、を有している。音出力部６は、制御部７と、メモリ８と、スピーカ９と、を含んでいる。メインスイッチ３、サブスイッチ４、センサ５、メモリ８、及びスピーカ９のそれぞれは、制御部７と電気的に接続されている。
【００１８】
図２（ａ）は、図１の食品型玩具を斜め上から見た斜視図である。図２（ｂ）は、図１の食品型玩具を斜め下から見た斜視図である。図２（ａ）及び図２（ｂ）に示されるように、本体部２は、食品の形状を模している。ここでは、本体部２は、ケーキ（特に、丸型のホールケーキ）の形状を模している。本体部２は、例えば、ＡＢＳ樹脂（アクリロニトリル・ブタジエン・スチレンの共重合合成樹脂）等の樹脂材料により形成されている。なお、本体部２は、切り分けられたケーキのように、分割された複数のピースで構成されていてもよい。
【００１９】
本体部２は、例えば、略円柱状を呈している。本体部２は、互いに対向する底部２１及び蓋部２２と、底部２１と蓋部２２とを接続する側部２３と、蓋部２２から上方に突出する突出部２４と、を有している。本体部２の直径は、例えば１２ｃｍであり、突出部２４を除いた本体部２の高さは、例えば３ｃｍである。なお、以下では、底部２１と蓋部２２との対向方向を上下方向Ｄ１、本体部２において、底部２１が設けられる方向を「下」、及び蓋部２２が設けられる方向を「上」として説明する。
【００２０】
底部２１は、円形の板状部材であり、上を向く内面２１ａ（図３参照）を有している。内面２１ａは、本体部２の内面を構成している。蓋部２２は、円形の板状部材であり、上を向く上面２２ａを有している。上面２２ａは、本体部２の外面を構成している。突出部２４は、例えば、略円柱状を呈している。突出部２４の直径は、例えば２５ｍｍであり、突出部２４の高さは、例えば８ｍｍである。突出部２４は、上を向く上面２４ａ、及び上面２４ａと上面２２ａとを接続する側面２４ｂを有している。
【００２１】
図３は、図２（ａ）のIII−III線に沿っての断面図であって、サブスイッチの非作動状態を示す図である。サブスイッチ４については、後で説明する。図２（ａ）及び図３に示されるように、突出部２４には、上面２４ａに開口する穴部２５が設けられている。穴部２５は、底面２５ａ、及び内壁面２５ｂを有している。底面２５ａは、例えば円形状を呈し、穴部２５は、円柱状の内部空間を規定している。
【００２２】
穴部２５の内径は、例えば１５ｍｍであり、穴部２５の深さ（底面２５ａから上面２４ａまでの長さ）は、例えば１２ｍｍである。側面２４ｂの周方向の一部は、斜め上を向く傾斜面２６をなしている。傾斜面２６の面方向（向く方向）は、例えば食品型玩具１を水平面に設置した際に水平面に対して６０°以上７０°以下の範囲となっている。突出部２４には、傾斜面２６に開口し、本体部２の外部と内部とを接続する貫通孔２７が斜め上を向いて設けられている。貫通孔２７は、本体部２の外部から内部に向うにしたがって、徐々に狭くなっている。本体部２の穴部２５には、底面２５ａに開口する貫通孔２８が設けられている。
【００２３】
図２（ａ）に示されるように、食品型玩具１は、本体部２に立設され、ろうそくの形状を模したろうそく部１０を更に備えている。ろうそく部１０は、例えば円柱状を呈する柱状部１１と、火の形状を模した火部１２と、を有している。柱状部１１は、例えば、ＡＢＳ樹脂（アクリロニトリル・ブタジエン・スチレンの共重合合成樹脂）等の樹脂材料により形成されている。火部１２は、例えば、フェルト等の不織布により形成されている。ろうそく部１０では、火部１２がろうそくの火のように先端がとがった形状でありながら、このように柔らかい素材で形成されていることにより、玩具の安全性に関する基準が満足されている。
【００２４】
柱状部１１の軸方向の長さ（上下方向Ｄ１に沿う長さ）は、例えば５ｃｍである。柱状部１１は、上部１１ａ及び下部１１ｂを有している。柱状部１１の直径は、上部１１ａから下部１１ｂに向うにしたがって、徐々に小さくなっている。上部１１ａの直径は、例えば２３ｍｍである。下部１１ｂの直径は、穴部２５（図３参照）の内径に対応し、例えば１３ｍｍである。火部１２の軸方向の長さ（上下方向Ｄ１に沿う長さ）は、例えば２ｃｍである。
【００２５】
ろうそく部１０は、本体部２に着脱可能に設けられる。具体的には、下部１１ｂが穴部２５（図３参照）に挿入されることにより、ろうそく部１０が本体部２に取り付けられる。また、下部１１ｂが穴部２５から抜き取られることにより、ろうそく部１０が本体部２から取り外される。ろうそく部１０の重さは、後述する突起５１（図３参照）を押圧可能な重さに設定されている。
【００２６】
図２（ｂ）に示されるように、メインスイッチ３は、本体部２に設けられ、センサ５及び音出力部６に電力を供給する電源のオンオフを切り換える。メインスイッチ３は、手動でつまみをスライドさせて電気的接点を切り換えるスライドスイッチである。メインスイッチ３は、底部２１に形成された長穴内でつまみがスライド可能となるように設けられている。なお、メインスイッチ３は、手動でボタンを押圧することにより電気的接点を切り換えるボタンスイッチであってもよい。
【００２７】
図４は、サブスイッチの作動状態を示す図である。図３及び図４に示されるように、サブスイッチ４は、本体部２に設けられ、センサ５と音出力部６とが電気的に接続された作動状態（オン）と、センサ５と音出力部６とが電気的に接続されていない非作動状態（オフ）とを切り換える。
【００２８】
まず、図３を参照して、サブスイッチ４の非作動状態について説明する。サブスイッチ４は、例えばリーフスイッチにより構成されている。サブスイッチ４は、一対の板ばね４１と、一対の電気的接点４２と、被押圧部４３と、を有している。
【００２９】
一対の板ばね４１は、上下方向Ｄ１に垂直な方向で互いに対向している。一対の板ばね４１は、上下方向Ｄ１、及び一対の板ばね４１の対向方向Ｄ２のそれぞれに直交する方向を長手方向とする板状部材である。一対の板ばね４１は、長手方向の一端部が底部２１に設けられた保持部（不図示）により保持されている。これにより、一対の板ばね４１は、長手方向の他端部を自由端とする片持ち状態で保持されている。
【００３０】
一対の電気的接点４２は、一対の板ばね４１の長手方向の他端部において互いに対向する面にそれぞれ設けられている。一対の電気的接点４２は、対向方向Ｄ２に沿って離間している。被押圧部４３は、後述する押圧部４４により押圧される部材であり、非導電性材料により形成されている。被押圧部４３は、押圧部４４側の板ばね４１における長手方向の他端部において、電気的接点４２が設けられていない面に取り付けられている。
【００３１】
サブスイッチ４の押圧部４４側には、柱状部４５、螺旋状のコイルばね４６、及びこれらを収容する収容部４７が配置されている。柱状部４５は、内面２１ａに立設され、上下方向Ｄ１を軸方向としている。コイルばね４６は、柱状部４５の周囲に設けられ、上下方向Ｄ１を軸方向としている。
【００３２】
収容部４７は、内面２１ａに立設された円筒部４８と、円筒部４８の上端の開口を覆う円板状の蓋部４９と、を有している。円筒部４８と蓋部４９と底部２１とは、一体的に形成されている。円筒部４８は、穴部２５と同軸である。円筒部４８の内径は、穴部２５の内径と同等である。収容部４７の収容空間と、穴部２５の内部空間とは、蓋部４９を介して上下方向Ｄ１に沿って並んでいる。
【００３３】
蓋部４９には、上述の貫通孔２８が設けられている。貫通孔２８は、収容部４７の収容空間と、穴部２５の内部空間とを連通可能に接続している。蓋部４９の上を向く面は、底面２５ａを構成している。収容部４７のサブスイッチ４と対向する部分には、上下方向Ｄ１に沿って延びる長穴５０が形成されている。長穴５０は、収容部４７の収容空間と連通している。
【００３４】
押圧部４４は、板ばね４１の被押圧部４３を押圧する部材である。押圧部４４は、断面Ｌ字状を呈する板状部材であり、第１板部４４ａと、第２板部４４ｂと、接続部４４ｃと、を含んでいる。第１板部４４ａ及び第２板部４４ｂは、それぞれ矩形板状を呈している。接続部４４ｃは、第１板部４４ａ及び第２板部４４ｂの長さ方向の一端部を互いに接続している。
【００３５】
接続部４４ｃは、収容部４７の上端部に軸支されている。押圧部４４は、接続部４４ｃを回転軸として回転可能な状態とされている。第１板部４４ａは、上下方向Ｄ１に長さ方向を沿わせた状態で、長穴５０内に配置されている。第１板部４４ａの長さ方向の他端部における被押圧部４３側の面は、被押圧部４３と対向方向Ｄ２で対向している。
【００３６】
第２板部４４ｂは、収容部４７内において、コイルばね４６と蓋部４９との間に配置されている。第２板部４４ｂは、コイルばね４６の圧縮の弾性力（弾発力）により、蓋部４９に押し付けられている。第２板部４４ｂの長さ方向の他端部における蓋部４９側の面には、上方に突出する突起５１が設けられている。突起５１の上端部は、貫通孔２８を通って蓋部４９から突出し、穴部２５の内部空間に配置されている。
【００３７】
続いて、図４を参照して、サブスイッチ４の作動状態について説明する。図４に示されるように、ろうそく部１０が本体部２に取り付けられると、突起５１がろうそく部１０により下方に押圧される。これにより、押圧部４４は、接続部４４ｃを回転軸として反時計回りに回転する。第２板部４４ｂは、コイルばね４６を圧縮させながら、突起５１と共に下方に移動する。第１板部４４ａは、対向方向Ｄ２に沿ってサブスイッチ４側に移動し、被押圧部４３を押圧する。この結果、被押圧部４３が設けられた板ばね４１が変形して、一対の電気的接点４２が互いに接触し、サブスイッチ４が作動状態となる。
【００３８】
なお、ろうそく部１０を本体部２から取り外すと、コイルばね４６の圧縮の弾性力により、第２板部４４ｂは突起５１と共に、上方に移動する。突起５１は、蓋部４９から突出した状態に復帰する。これに伴い、押圧部４４は、接続部４４ｃを回転軸として時計回りに回転する。第１板部４４ａは、対向方向Ｄ２に沿ってサブスイッチ４から離間する方向に移動する。この結果、一対の電気的接点４２が互いに離間し、サブスイッチ４が非作動状態となる。
【００３９】
このように、ろうそく部１０が本体部２に取り付けられると、サブスイッチ４が作動状態となり、センサ５と音出力部６とが電気的に接続される。ろうそく部１０が本体部２から取り外されると、サブスイッチ４が非作動状態となり、センサ５と音出力部６とが電気的に非接続とされる。
【００４０】
図３に示されるように、センサ５は、本体部２に設けられ、例えば、幼児によって息が吹きかけられることにより作動する。センサ５は、息が吹きかけられたことを検出する検出面５ａを有している。センサ５は、例えば、円柱状を呈している。センサ５の直径は、例えば９．７ｍｍであり、センサ５の高さは、例えば５．５ｍｍである。円柱の一方の端面が、検出面５ａを構成している。センサ５は、本体部２において、ろうそく部１０に息が吹きかけられることに伴って息が吹きかけられる位置に設けられている。
【００４１】
具体的には、センサ５は、本体部２の内部に配置されている。より具体的には、センサ５は、円筒部４８と一体的に形成された保持部５５により保持されて、突出部２４の内部に設けられている。検出面５ａは、斜め上を向いて設けられ、貫通孔２７を通じて本体部２の外側に露出している。検出面５ａの面方向（向く方向）は、例えば食品型玩具１を水平面に設置した際に水平面に対して６０°以上７０°以下の範囲となっている。センサ５は、検出面５ａに息が吹きかけられたことを検出すると、そのことを示す検出信号を制御部７に出力する。
【００４２】
図２（ｂ）に示されるように、音出力部６は、本体部２の内部に配置されている。音出力部６は、メインスイッチ３及びサブスイッチ４が共に作動状態のときに、センサ５（図１参照）の作動に応じて音を出力する。
【００４３】
制御部７は、食品型玩具１の動作を統括制御する。具体的には、制御部７は、メインスイッチ３がオンとされると、動作を開始する。制御部７は、動作開始後にサブスイッチ４がオンとされた状態で、センサ５（図１参照）から検出信号を入力すると、メモリ８から適当な音データを呼び出し、スピーカ９に信号を出力して音を出力させる。制御部７は、メインスイッチ３がオフとされると、動作を終了する。制御部７としては、例えばＭＰＵ（Micro  Processing  Unit）が利用される。
【００４４】
メモリ８は、出力する音に関する複数の音データを予め記憶している。メモリ８としては、例えば半導体記憶装置が利用される。スピーカ９は、制御部７から出力される信号に基づいて、ＩＣ音を増幅して出力する。底部２１には、複数の通音孔２１ｂが設けられており、スピーカ９は、本体部２外へ音を発し易くするために、複数の通音孔２１ｂに対向する位置に配置されている。
【００４５】
次に、食品型玩具１の使用方法の一例及びその動作について説明する。なお、以下の説明はあくまで例示であって、食品型玩具１の使用方法は当該一例に限定されるものではない。
【００４６】
まず、例えば親がメインスイッチ３をオンとして、幼児に食品型玩具１を手渡す。続いて、幼児はろうそく部１０を本体部２に取り付ける。このとき、突起５１が下方に押圧されて、サブスイッチ４がオンとされる。一般に幼児はケーキに立設されたろうそくの火を吹き消す動作を好む。したがって、幼児は、ろうそくの火を消そうとろうそく部１０の火部１２に息を吹きかける。これに伴い、貫通孔２７を通じて、センサ５の検出面５ａに息が吹きかけられる。この結果、音出力部６から音が出力される。
【００４７】
音の出力という反応が得られることで、幼児は更に食品型玩具１に興味を示し、ろうそく部１０に息を吹きかける動作を繰り返して行う。音出力部６からは、その度に下表１に示される内容の音Ａ〜音Ｆが、例えば擬似ランダムパターンで出力される。
【００４８】
【表１】
2017192413.tif 000003
【００４９】
表１に示されるように、音Ａ〜音Ｆの内容は、例えば誕生日に関する音声である。擬似ランダムパターンとは、ランダムで予測不能に見えるものの、実際は予測可能な（予め定められた）パターンのことである。ここでは、音は、音Ａ→音Ｂ→音Ｃ→音Ｄ→音Ｅ→音Ｆ→音Ｃ→音Ａ→音Ｂ→音Ｆ→音Ｅ→音Ｄといった擬似ランダムパターンで繰り返して出力される。幼児がろうそく部１０を本体部２から取り外すと、サブスイッチ４がオフとされる。この状態で幼児がろうそく部１０に息を吹きかけても、センサ５は作動せず、音出力部６から音が出力されない。
【００５０】
次に、図５を参照して、制御部７（図１参照）における具体的な処理について説明する。図５は、図１の食品型玩具の動作を示すフローチャートである。制御部７では、メインスイッチ３（図１参照）をオンとした場合に、次の処理が実行される。即ち、図５に示されるように、まず、サブスイッチ４（図１参照）がオンとされるまで待機する（Ｓ１１）。上記Ｓ１１でＹＥＳの場合、即ち、サブスイッチ４がオンとされると、センサ５（図１参照）が息を吹きかけられたか否かを判定する（Ｓ１２）。
【００５１】
上記Ｓ１２でＹＥＳの場合、即ち、センサ５に息が吹きかけられると、音Ａ〜音Ｆの何れかが擬似ランダムパターンでスピーカ９（図１参照）から出力される（Ｓ１３）。続いて、サブスイッチ４がオンか否かが判定される（Ｓ１４）。上記Ｓ１２でＮＯの場合もＳ１４の処理が実行される。上記Ｓ１４でＹＥＳの場合、上記Ｓ１２の処理が再び実行される。
【００５２】
したがって、メインスイッチ３がオン、かつ、サブスイッチ４がオンとされている間、センサ５に息が吹きかけられる度に、音Ａ〜音Ｆの何れかが擬似ランダムパターンでスピーカ９から順に出力される処理が繰り返される。上記Ｓ１４でＮＯの場合、制御部７の一連の処理が終了される。制御部７は、メインスイッチ３がオンの間は、この一連の処理を繰り返し実行する。
【００５３】
以上説明したように、本実施形態の食品型玩具１では、例えば幼児が息を吹きかけることによりセンサ５が作動し、音が出力される。このように、手で直接触れることなく息を吹きかけることより音が出力されるので、例えば、単にボタンを押すことにより音が出力されるといった場合に比べて、幼児の興味を引き易く、幼児をより楽しませることができる。これにより、幼児の興味が短時間で薄れることがなく、幼児の食への関心を引き出しながら、幼児の知能発達を十分に促すことが出きる。
【００５４】
本体部２は一般に幼児が好むケーキの形状を模している。また、本体部２にはろうそく部１０が立設され、ろうそく部１０に息が吹きかけられることに伴ってセンサ５には息が吹きかけられるようになっている。一般に幼児はケーキに立設されたろうそくの火を吹き消す動作を好む。このため、幼児が火を吹き消そうとろうそく部１０に息を吹きかけることを利用して、音を出力させることができる。これにより、幼児を更に楽しませることができる。
【００５５】
ろうそく部１０は、本体部２に脱着可能に設けられ、ろうそく部１０が本体部２に取り付けられると、センサ５と音出力部６とが電気的に接続されるようになっている。これにより、ろうそく部１０が本体部２に取り付けられていないときは、幼児が息を吹きかけてもセンサ５が作動しない。このため、センサ５ではなくろうそく部１０に息を吹きかけることにより音が出力されると幼児に思わせることができ、成長過程にある幼児に対し想像力を与えることができる。
【００５６】
センサ５は、息が吹きかけられたことを検出する検出面５ａを有し、検出面５ａは、斜め上を向いて設けられている。このため、幼児がろうそく部１０に息を吹きかけることに伴って検出面５ａにも息が吹きかけられ易い。これにより、息が吹きかけられたことを検出面５ａが検出し易い。
【００５７】
センサ５は、本体部２の内部に配置されており、本体部２には、センサ５に通じる貫通孔２７が斜め上を向いて設けられている。このようにセンサ５は、本体部２の内部に配置され、外部から視認され難いため、幼児がセンサ５の存在に気づき難い。これにより、幼児に対し、更に想像力を与えることができる。また、貫通孔２７が設けられているので、幼児がろうそく部１０に息を吹きかけることに伴って、貫通孔２７を通じてセンサ５にも息が吹きかけられ易い。このように、食品型玩具１は、幼児に気づかれ難い位置にセンサ５を配置しながら、息が吹きかけられたことをセンサ５が検出し易い構成とされている。
【００５８】
貫通孔２７は、本体部２の外部から内部に向うにしたがって、徐々に狭くなっている。このため、本体部２の外部から吹きかけられた息は、貫通孔２７内において、本体部２の内部、すなわちセンサ５に近づくにつれて絞られる。これにより、センサ５に到達した際の息の流速を上げることができ、センサ５による検出が更に容易となる。
【００５９】
食品型玩具１は、センサ５及び音出力部６に電力を供給する電源のオンオフを切り換えるメインスイッチ３を更に備えている。このため、食品型玩具１が使用されていない期間は、メインスイッチ３をオフとして、消費電力を抑制することができる。
【００６０】
音出力部６からは、複数の音Ａ〜音Ｆの何れかが擬似ランダムパターンで出力されるので、次に発せられる音声が幼児には予測し難い。これにより、幼児の興味を更に引き、幼児を飽きずに遊ばせることができる。
【００６１】
以上、本発明の実施形態について説明したが、本発明に係る食品型玩具は、実施形態に係る上記食品型玩具１に限られるものではなく、各請求項に記載した要旨を変更しない範囲で変形し、又は他のものに適用したものであってもよい。
【００６２】
上記実施形態において、ろうそく部１０は本体部２に固定され、取り外せない構造となっていてもよい。また、食品型玩具１は、ろうそく部１０を備えていなくてもよい。これらの場合では、食品型玩具１にサブスイッチ４を設けず、センサ５と音出力部６とが常に電気的に接続されている状態としてもよい。
【００６３】
また、本体部２は、ケーキ以外の食品の形状を模していてもよい。本体部２は、例えばスープ、ラーメン等の熱い食品であって、冷ましながら食べるために息を吹きかけることが通常行われる食品の形状を模していてもよい。音出力部６から出力される音の内容を食品の形状に合わせて変更してもよい。
【００６４】
また、センサ５は、本体部２に設けられ、息が吹きかけられることにより作動する構成であればよく、形状及び配置は限定されない。また、食品型玩具１は、メインスイッチ３を備えていなくてもよい。
【００６５】
また、本体部２の上面２２ａには、ろうそく部に対してセンサ５の設けられる方向が正面となる向きで絵柄が施されていてもよいし、同様の向きで文字が書かれたメッセージプレートが配置されていてもよい。この場合、幼児は絵柄、文字を見ることで食品型玩具１の正面を認識し、食品型玩具１の正面から息を吹きかけることができる。これにより、息が確実にセンサ５に吹きかけられる。また、上面２２ａには、いちご等の形状を模した飾り付けパーツが固定的又は脱着可能に設けられてもよい。
【符号の説明】
【００６６】
１…食品型玩具、２…本体部、３…メインスイッチ、４…サブスイッチ、５…センサ、５ａ…検出面、６…音出力部、１０…ろうそく部、２７…貫通孔。
【図１】
2017192413.tif 000004
【図２】
2017192413.tif 000005
【図３】
2017192413.tif 000006
【図４】
2017192413.tif 000007
【図５】
2017192413.tif 000008